(57)【要約】【課題】本発明の課題は、蓋部と原稿読取部をロックした状態で原稿読取部を開ける手間がかからないと共に、原稿読取部や蓋部の開動作による転倒を防止することができる画像形成装置を得ることである。【解決手段】プリンタ部３と、このプリンタ部３に対して開閉可能なスキャナ５と、このスキャナ５に対して開閉可能な圧板７とを備えている複写機１において、スキャナ５には、圧板７の開位置への回動に連動してスキャナ５とプリンタ部３とをロックし、スキャナ５の開位置への回動に連動して圧板７とスキャナ５とをロックするロック機構１３を設けた。【選択図】図５
2009092828.tif 000002
【特許請求の範囲】
【請求項１】
シートに画像を形成する画像形成部と、この画像形成部の上部に設けられた支点を中心に画像形成部の上方を覆う閉位置と画像形成部の上方を開放する開位置とに回動自在に設けられていると共に、上面に形成された原稿載置部に載置された原稿を読み取る原稿読取部と、この原稿読取部の上部に設けられた支点を中心に、原稿載置部を覆う閉位置と原稿載置部を開放する開位置とに回動自在に設けられている蓋部と、を備えている画像形成装置において、
原稿読取部には、蓋部の開位置への回動に連動して原稿読取部と画像形成部とをロックし、原稿読取部の開位置への回動に連動して原稿読取部と蓋部とをロックするロック機構を設けていることを特徴とする画像形成装置。
【請求項２】
ロック機構は、
回動軸を中心に、蓋部または画像形成部に係止する係止位置とこの係止位置から離れて係止状態を解除する解除位置とに回動自在な係止部材と、
この係止部材を係止位置に向けて常時付勢する付勢部と、
開位置にある蓋部または原稿読取部の閉位置への回動に連動して、開位置にある蓋部または原稿読取部に対応した係止位置にある係止部材を、付勢部の付勢力に抗して解除位置に回動させてこの位置に保持する保持部と、を備えていることを特徴とする請求項１に記載の画像形成装置。
【請求項３】
係止部材は、原稿読取部内に設けられた回動軸から上方に向けて延びる上部と、回動軸から下方に向けて延びる下部とを備え、
上部の上端部には原稿読取部の上面から突出した上爪が設けられ、下部の下端部には原稿読取部の下面から突出した下爪が設けられ、
保持部は、蓋部の下面に形成され上爪を収納する上収納部と、画像形成部の上面に形成され下爪を収納する下収納部とを備え、
上収納部の内側には、蓋部が閉位置にあるときに上爪に当接して解除位置の係止部材の回動を阻止する上当接部と、この上当接部の下方に位置し、蓋部が開位置にあるときに上爪が係止する上係止部とが設けられ、
下収納部の内側には、原稿読取装置が閉位置にあるときに下爪に当接して解除位置の係止部材の回動を阻止する下当接部と、この下当接部の上方に位置し原稿読取装置が開位置にあるときに下爪が係止する下係止部とが設けられていることを特徴とする請求項２に記載の画像形成装置。
【請求項４】
係止部材は一対設けられ、これらの係止部材はそれぞれ、原稿読取部内に設けられた回動軸から上方に向けて延びる上部と、回動軸から下方に向けて延びる下部とを備え、
一方の係止部材における下部の下端部には、原稿読取部の下面から突出した下爪が設けられ、
他方の係止部材における上部の上端部には、原稿読取部の上面から突出した上爪が設けられており、
蓋部の下面に形成され他方の係止部材の上爪が係止する上係止部と、
画像形成部の上面に形成され一方の係止部材の下爪が係止する下係止部とが設けられていることを特徴とする請求項２に記載の画像形成装置。
【請求項５】
一方の係止部材における上部の上端部には、原稿読取部の上面から突出した上突出部が設けられ、他方の係止部材における下部の下端部には、原稿読取部の下面から突出した下突出部が設けられており、
保持部は、
蓋部の下面に形成され、蓋部が閉位置にあるときには、一方の係止部材の上突出部を押圧して、一方の係止部材の回動を阻止すると共に、蓋部が開位置にあるときには、一方の係止部材の上突出片への押圧を解除して、付勢部の付勢力による一方の係止部材の回動を許容する一方の押圧面と、
画像形成部の上面に形成され、原稿読取部が閉位置にあるときには、他方の係止部材の下突出片を押圧して、他方の係止部材の回動を阻止すると共に、原稿読取装置が開位置にあるときには、他方の係止部材の下突出片への押圧を解除して、付勢部の付勢力による他方の係止部材の回動を許容する他方の押圧面とを備えていることを特徴とする請求項４に記載の画像形成装置。
【請求項６】
保持部は、解除位置にある係止部材を磁力によって保持する磁石を備えていることを特徴とする請求項２乃至５の何れか１項に記載の画像形成装置。
【請求項７】
付勢部は、保持部による保持状態を解除された係止部材を磁力によって回動させる磁石を備えていることを特徴とする請求項２乃至６の何れか１項に記載の画像形成装置。
【請求項８】
付勢部は、係止部材に設けられたバランスウェイトを備え、保持部による保持状態を解除された係止部材は、バランスウェイトによって回動することを特徴とする請求項２乃至７の何れか１項に記載の画像形成装置。
【請求項９】
各係止部材は、同一回動軸上で回動することを特徴とする請求項４乃至８の何れか１項に記載の画像形成装置。
【請求項１０】
蓋部および原稿読取部の少なくとも一方には、使用者が手を差し込む凹状の取っ手が設けられており、
係止部材には、この係止部材が係止位置にあるときに取っ手内に突出して、取っ手内を塞ぐシャッタ部が形成されていることを特徴とする請求項２乃至９の何れか１項に記載の画像形成装置。
【請求項１１】
原稿読取部を画像形成部に対して水平にスライドさせるスライド機構を備えていることを特徴とする請求項１乃至１０の何れか１項に記載の画像形成装置。
【発明の詳細な説明】
【技術分野】
【０００１】
本発明は、プリンタ、ファクシミリ、複写機或いはこれらの複合機等の画像形成装置に関する。
【背景技術】
【０００２】
最近の小型の複写機等の画像形成装置においては、補給やジャム処理のためのドアをも省略し、シートに画像形成を行うプリンタ部上部のスキャナ等の原稿読取部を開いて画像形成装置内部にアクセスするものや、原稿読取部を開いて更にドアを開くものがある。また、原稿読取部がいわゆるフラットベッドと言われるコンタクトガラスを有するタイプの場合、原稿を押さえるための圧板や自動原稿送り装置（ＡＤＦ）をスキャナの上方に設けスキャナのコンタクトガラスを塞ぐ蓋部としているものもある（例えば、特許文献１参照）。
【０００３】
通常、これらの原稿読取部や蓋部は、ユーザーが使用しやすいように、奥側を回動支点として開閉するのが一般的である。すなわち、図２０に示すように、プリンタ部１００の上方に原稿読取部１０１と蓋部１０３とをこの順に設けていると共に、原稿読取部１０１及び蓋部１０３がそれぞれの支点１０１ａ、１０３ａを中心に回動して、原稿読取部１０１及び蓋部１０３が開閉自在になっている。
【０００４】
このような画像形成装置においては、図２０にも示すように、蓋部１０３を開いた状態のまま原稿読取部１０１を開いた場合、或いは、蓋部１０３が閉じた状態でも、原稿読取部１０１を勢いよく開いた反動で蓋部１０３が開いた場合は、蓋部１０３が画像形成装置の背面の壁に当たってしまって壁を傷つけたり、蓋部１０３自身が破損してしまうという不具合がある。
【０００５】
更に、蓋部１０３としてＡＤＦを用いている場合、このＡＤＦに内蔵されたモータ等の重い部品の配置によっては、原稿読取部１０１を開いたときにＡＤＦの重心が回動支点を越えることがあり、この場合、原稿読取部１０１をゆっくり開いたとしても、ＡＤＦが勝手に開いて、画像形成装置自身が転倒してしまう虞もある。
【０００６】
このため、原稿読取部と蓋部とをロックした後に、原稿読取部を蓋部と共にに開けるようにして、原稿読取部を開けた際に蓋部が勝手に開かないようにした技術が知られている（例えば、特許文献２参照）。
【０００７】
【特許文献１】特開２００２−３６５７４２号公報
【特許文献２】特開平１１−３０８３８５号公報
【発明の開示】
【発明が解決しようとする課題】
【０００８】
しかしながら、上述した従来技術では、原稿読取部を開ける場合、事前に原稿読取部と蓋部とをロックする作業を行わなければならず、蓋部１０３や原稿読取部１０１を開ける手間がかかるという問題がある。また、蓋部１０３のみを開ける場合、蓋部１０３の重心が回動支点を超えたときには、この蓋部１０３の荷重によって原稿読取部１０１も開くことがあり、この場合、開き方向での荷重が増大して画像形成装置自身が転倒してしまう虞が依然として残るという問題がある。
【０００９】
本発明は、蓋部と原稿読取部をロックした状態で原稿読取部を開ける手間が掛からないと共に、原稿読取部や蓋部の開動作による転倒を防止することができる画像形成装置を得ることを目的とする。
【課題を解決するための手段】
【００１０】
前記課題を解決する為に、請求項１に記載された発明は、シートに画像を形成する画像形成部と、この画像形成部の上部に設けられた支点を中心に画像形成部の上方を覆う閉位置と画像形成部の上方を開放する開位置とに回動自在に設けられていると共に、上面に形成された原稿載置部に載置された原稿を読み取る原稿読取部と、この原稿読取部の上部に設けられた支点を中心に、原稿載置部を覆う閉位置と原稿載置部を開放する開位置とに回動自在に設けられている蓋部と、を備えている画像形成装置において、原稿読取部には、蓋部の開位置への回動に連動して原稿読取部と画像形成部とをロックし、原稿読取部の開位置への回動に連動して原稿読取部と蓋部とをロックするロック機構を設けていることを特徴とする。
【００１１】
請求項２に記載された発明は、請求項１に記載された発明において、ロック機構は、回動軸を中心に、蓋部または画像形成部に係止する係止位置とこの係止位置から離れて係止状態を解除する解除位置とに回動自在な係止部材と、この係止部材を係止位置に向けて常時付勢する付勢部と、開位置にある蓋部または原稿読取部の閉位置への回動に連動して、開位置にある蓋部または原稿読取部に対応した係止位置にある係止部材を、付勢部の付勢力に抗して解除位置に回動させてこの位置に保持する保持部と、を備えていることを特徴とする。
【００１２】
請求項３に記載された発明は、請求項２に記載された発明において、係止部材は、原稿読取部内に設けられた回動軸から上方に向けて延びる上部と、回動軸から下方に向けて延びる下部とを備え、上部の上端部には原稿読取部の上面から突出した上爪が設けられ、下部の下端部には原稿読取部の下面から突出した下爪が設けられ、保持部は、蓋部の下面に形成され上爪を収納する上収納部と、画像形成部の上面に形成され下爪を収納する下収納部とを備え、上収納部の内側には、蓋部が閉位置にあるときに上爪に当接して解除位置の係止部材の回動を阻止する上当接部と、この上当接部の下方に位置し、蓋部が開位置にあるときに上爪が係止する上係止部とが設けられ、下収納部の内側には、原稿読取装置が閉位置にあるときに下爪に当接して解除位置の係止部材の回動を阻止する下当接部と、この下当接部の上方に位置し原稿読取装置が開位置にあるときに下爪が係止する下係止部とが設けられていることを特徴とする。
【００１３】
請求項４に記載された発明は、請求項２に記載された発明において、係止部材は一対設けられ、これらの係止部材はそれぞれ、原稿読取部内に設けられた回動軸から上方に向けて延びる上部と、回動軸から下方に向けて延びる下部とを備え、一方の係止部材における下部の下端部には、原稿読取部の下面から突出した下爪が設けられ、他方の係止部材における上部の上端部には、原稿読取部の上面から突出した上爪が設けられており、蓋部の下面に形成され他方の係止部材の上爪が係止する上係止部と、画像形成部の上面に形成され一方の係止部材の下爪が係止する下係止部とが設けられていることを特徴とする。
【００１４】
請求項５に記載された発明は、請求項４に記載された発明において、一方の係止部材における上部の上端部には、原稿読取部の上面から突出した上突出部が設けられ、他方の係止部材における下部の下端部には、原稿読取部の下面から突出した下突出部が設けられており、保持部は、蓋部の下面に形成され、蓋部が閉位置にあるときには、一方の係止部材の上突出部を押圧して、一方の係止部材の回動を阻止すると共に、蓋部が開位置にあるときには、一方の係止部材の上突出片への押圧を解除して、付勢部の付勢力による一方の係止部材の回動を許容する一方の押圧面と、画像形成部の上面に形成され、原稿読取部が閉位置にあるときには、他方の係止部材の下突出片を押圧して、他方の係止部材の回動を阻止すると共に、原稿読取装置が開位置にあるときには、他方の係止部材の下突出片への押圧を解除して、付勢部の付勢力による他方の係止部材の回動を許容する他方の押圧面とを備えていることを特徴とする。
【００１５】
請求項６に記載された発明は、請求項２乃至５の何れか１項に記載された発明において、保持部は、解除位置にある係止部材を磁力によって保持する磁石を備えていることを特徴とする。
【００１６】
請求項７に記載された発明は、請求項２乃至６の何れか１項に記載された発明において、付勢部は、保持部による保持状態を解除された係止部材を磁力によって回動させる磁石を備えていることを特徴とする。
【００１７】
請求項８に記載された発明は、請求項２乃至７の何れか１項に記載された発明において、付勢部は、係止部材に設けられたバランスウェイトを備え、保持部による保持状態を解除された係止部材は、バランスウェイトによって回動することを特徴とする。
【００１８】
請求項９に記載された発明は、請求項４乃至８の何れか１項に記載された発明において、各係止部材は、同一回動軸上で回動することを特徴とする。
【００１９】
請求項１０に記載された発明は、請求項２乃至９の何れか１項に記載の発明において、蓋部及び原稿読取部の少なくとも一方には、使用者が手を差し込む凹状の取っ手が設けられており、係止部材には、この係止部材が係止位置にあるときに取っ手内に突出して、取っ手内を塞ぐシャッタ部が形成されていることを特徴とする。
【００２０】
請求項１１に記載された発明は、請求項１乃至１０の何れか１項に記載の発明において、原稿読取部を画像形成部に対して水平にスライドさせるスライド機構を備えていることを特徴とする。
【発明の効果】
【００２１】
本発明によれば、蓋部が開位置に回動するとき、これに連動して原稿読取部と画像形成部とをロックすると共に、原稿読取部が開位置に回動するとき、これに連動して蓋部と原稿読取部とをロックするロック機構を設けているので、蓋部や原稿読取部を開けるだけで、蓋部と原稿読取部とのロック動作や画像形成部と原稿読取部とのロックを自動的に行うことができる。これにより、従来のような事前のロック操作を行う手間を省くことができる。
【００２２】
また、蓋部のみを開けた場合であっても、原稿読取部と画像形成部とがロックされるので、蓋部と共に原稿読取部が画像形成部から開いて、開き方向における荷重が増大するのを防止することができるため、画像形成装置の転倒を防止することができる。
【発明を実施するための最良の形態】
【００２３】
以下、添付図面を参照して、本発明の実施の形態を詳細に説明する。図１は本発明の第１実施の形態に係る複写機を概略的に示す斜視図であり、図２は、図１の複写機の側面図であり、図３は、図１の複写機の原稿読取部が開いた状態を示す側面図であり、図４は、図１の複写機における原稿読取部と画像形成部との間に設けられたスライド部を説明するための図であり、図５は図１の複写機のロック機構を説明するための図４（ａ）に示すＲ−Ｒ断面図であり、図６は図５のロック機構における一方の係止部材の動作を説明するための図であり、図７は図５のロック機構における他方の係止部材の動作を説明するための図である。
【００２４】
図１及び図２に示すように、複写機１は、概して、シートに画像を形成する画像形成部であるプリンタ部３と、このプリンタ部３の上方に配置され、原稿画像を読み取る原稿読取部であるスキャナ５と、このスキャナ５の上方に配置され、スキャナ５の後述する原稿載置部５ｂに載置された原稿を覆う圧板（蓋部）７とを備えている。尚、本実施の形態としては、画像形成装置として複写機１を例示しているが、これに限定されず、画像形成装置としては、パソコン等から出力された画像データに対応した画像を形成するプリンタ、ファクシミリ或いはこれらと複写機との複合機であっても良いことは言うまでもない。
【００２５】
プリンタ部３は、シートを収納すると共に、この収納したシートを感光体ドラムに向けて給紙する給紙カセット４と、この給紙カセット４から給紙されたシートに対し、スキャナ５が読み取った原稿画像に対応する画像を形成する図示しない形成部と、給紙カセット４の上方に設けられ、上述した形成部によって画像が形成されたシートが排紙されてスタックされる排紙トレイ６とを備えている。排紙トレイ６に排紙されたシートは、複写機１の前面Ａに形成された開口６ａからユーザーによって取り出されるようになっている。
【００２６】
尚、形成部には、スキャナ５が読み取った原稿画像に対応する静電潜像を担持する像担持体である感光体ドラム、この感光体ドラムの外周面を一様に帯電する帯電装置、読取部が読み取った画像に対応する静電潜像を帯電装置によって帯電した感光体ドラムに形成する露光装置、感光体ドラムの静電潜像をトナーにより現像してトナー像を形成する現像装置、感光体ドラムのトナー像をシートに転写する転写装置、シートに転写されたトナー像をシートに定着する定着装置等が配置されているが、本実施の形態ではその図示及びその詳細な説明は省略する。尚、プリンタ部３としては、上述したような静電複写方式の他に、インクジェット方式等の他の画像形成手段を用いるようにしても良いことは言うまでもない。
【００２７】
スキャナ５は、その上面５ａに原稿が載置されるコンタクトガラス等の原稿載置部５ｂが形成されており、この原稿載置部５ｂに載置された原稿を、内蔵された読取部によって読み取り、この読み取った原稿画像データをプリンタ部３に出力するようになっている。
【００２８】
図３及び図４に示すように、スキャナ５とプリンタ部３との間には、スキャナ５をプリンタ部３に対して矢印Ｂで示す後方に水平にスライド移動させるためのスライド機構９が設けられており、スキャナ５を後方にスライドすることにより排紙トレイ６が露出して、この排紙トレイ６に排紙されたシートを取り易くすることができる。
【００２９】
このスライド機構９は、プリンタ部３の上面にスライド自在に取り付けられた板状のレール１０と、このレール１０のスライド量を規制する規制部材１１とを備えている。図４（ａ）に示すように、レール１０の後端部（図において左端部）には、スキャナ５の側面に形成された回動支点５Ａを軸支する軸支部１０ａが設けられている。これにより、スキャナ５は、回動支点５Ａを中心に、プリンタ部３の上方を覆う閉位置（図１および図２に示す位置）とプリンタ部３の上方を開放する開位置（図３に示す位置）とに回動自在になっている。本実施の形態では、スキャナ５が開位置にあるときには、プリンタ部３の上面３aの排紙トレイ６等が露出するため、紙詰まり処理、プリンタ部３へのインクやトナーの補給等が行えるようになっている。尚、図４（ａ）においては、圧板７の図示は省略している。
【００３０】
このスキャナ５のプリンタ部３に対する開き角度は、図示しないストッパ等によって、９０度未満に規制されるようになっており、圧板７が過剰に回動して、複写機１の背面にある壁等に圧板７が衝突するのを防止でき、圧板７の損傷を防止することができる。
【００３１】
レール１０の側面には、図４（ｂ）に示すように、板状の切り欠き１０ｂがレール１０のスライド方向（矢印Ｂ参照）に沿って間隔をおいて形成されている。一方、規制部材１１は、可撓性を有する金属や樹脂等によって構成されており、規制部材１１の後端部には、切り欠き１０ｂに係合可能なように凸状に折り曲げて形成された係合突起１１ａが形成されている。この規制部材１１は、プリンタ部３の上面において、レール１０の側方でかつ係合突起１１ａが切り欠き１０ｂに係合可能な位置に固定されており、係合突起１１ａが切り欠き１０ｂに係合することによって、レール１０のスライド量（スライド位置）を段階的に規制（設定）できるようになっている。
【００３２】
尚、本実施の形態では、切り欠き１０ｂと係合突起１１ａとの係合及び解除によって、レール１０のスライド量を規制しているが、係合突起１１ａに代えてピニオンを設け、切り欠き１０ｂに代えてピニオンが歯合するラックを設けるようにしても良く、この場合、スキャナ５のスライド量を無段階（任意の位置）に設定することができる。
【００３３】
また、スキャナ５の上面５ａにおける後端部には、圧板７の側面に形成された回動支点７Ａを軸支する軸支部５Ｂが設けられて、圧板７が、回動支点７Ａを中心に、スキャナ５の原稿載置部５ｂを覆う閉位置（図１および図２に示す位置）と原稿載置部５ｂを開放する開位置（図６（ａ）に示す位置）とに回動自在となっている。この圧板７のスキャナ５に対する開き角度は、図示しないストッパ等によって、９０度未満に規制されるようになっており、スキャナ５が過剰に回動して、開き方向にかかる荷重が必要以上に増大するのを防止することができる。
【００３４】
尚、図１において、符号１２ａは、ユーザー（使用者）がスキャナ５を開ける際に手を差し込むための凹状の取っ手であり、この取っ手１２ａは、スキャナ５の下面５ｅにおける前端部の中央に形成されている。また、図１において、符号１２ｂは、ユーザー（使用者）が圧板７を開ける際に手を差し込むための取っ手であり、この取っ手１２ｂは、スキャナ５の上面５ａにおける前端部の中央に形成されている。本実施の形態では、スキャナ５に取っ手１２ａ、１２ｂを形成したが、スキャナ５または圧板７の何れか一方のみ、或いはスキャナ５または圧板７の両方に取っ手を形成するようにしても良いと共に、取っ手１２ａ、１２ｂの形成箇所を適宜変更することができることは言うまでもない。
【００３５】
図５に示すように、スキャナ５は、その内部に、圧板７の開位置への回動に連動してスキャナ５とプリンタ部３とをロックし、スキャナ５の開位置への回動に連動して圧板７とスキャナ５とをロックするロック機構１３が配置されている。このロック機構１３は、スキャナ５内において、左右方向（紙面を貫通する方向）に延びていると共にスキャナ５のスライド方向に沿って互いに間隔をあけて設けられた一対の回動軸１５、１６にそれぞれ、回動自在に軸支された一対の係止部材１７、１９を備えている。
【００３６】
本実施の形態では、これらの係止部材１７、１９のうち、スキャナ５の後方側（図５において左側、以後、単に「後方側」という。）に位置する一方の係止部材１７は、プリンタ部３に係止して、プリンタ部３とスキャナ５とをロックする係止位置（図６（ｂ）に示す位置）と、この係止位置から離れて係止状態を解除する解除位置（図５に示す位置）とに回動自在となっている。また、スキャナ５の前方側（図５において右側、以後、単に「前方側」という。）に位置する他方の係止部材１９は、圧板７に係止して、圧板７とスキャナ５とをロックする係止位置（図７（ｂ）に示す位置）と、この係止位置から離れて係止状態を解除する解除位置（図５に示す位置）とに回動自在になっている。
【００３７】
一方の係止部材１７は、回動軸１５から前後方向に延びる基端部１７ａと、この基端部１７ａの後端部から上方に延びる上部１７ｂと、基端部１７ａの前端部から下方に延びる下部１７ｃとを有している。そして、これら上部１７ｂ及び下部１７ｃの上下方向の長さは、基端部１７ａの前後方向の長さよりも長く形成されている。また、他方の係止部材１９も同様に、回動軸１６から前後に延びる基端部１９ａと、この基端部１９ａの前端部から上方に延びる上部１９ｂと、基端部１９ａの後端部から下方に延びる下部１９ｃとを有している。そして、これら上部１９ｂ及び下部１９ｃの上下方向の長さは、基端部１９ａの前後方向の長さよりも長く形成されている。
【００３８】
一方の係止部材１７の上部１７ｂの上端部には、スキャナ５の上面５ａに形成された開口５ｆから上方に突出した上突出部１７ｄが形成されており、下部１７ｃの下端部には、スキャナ５の下面５ｅに形成された開口５ｇから下方に突出した下爪１７ｅが形成されている。また、他方の係止部材１９の下部１９ｃの下端部には、スキャナ５の下面５ｅに形成された開口５ｈから下方に突出した突出部１９ｄが形成されており、上部１９ｂの上端部には、スキャナ５の上面５ａに形成された開口５ｉから上方に突出した上爪１９ｅが形成されている。
【００３９】
一方の係止部材１７において、下部１７ｃは、この下部１７ｃの後方側に位置する上部１７ｂよりも長く形成されて、上部１７ｂよりも重量の大きいバランスウェイトとされている。したがって、一方の係止部材１７は下部１７ｃ側に偏心しており、この下部１７ｃにより一方の係止部材１７は、係止位置に向けて（図６（ｂ）の矢印Ｃ参照）常時付勢されている。即ち、一方の係止部材１７の下部１７ｃは、係止部材１７を係止位置に向けて常時付勢する付勢部としても機能するようになっている。
【００４０】
他方の係止部材１９においては、下部１９ｃは、この下部１９ｃの後方側に位置する上部１９ｂよりも重量の大きいバランスウェイトとされている。したがって、他方の係止部材１９は下部１９ｃ側に偏心しており、この下部１９ｃにより他方の係止部材１９は、係止位置に向けて（図７（ｂ）の矢印Ｄ参照）常時付勢されている。即ち、他方の係止部材１９の上部１９ｂは、係止部材１９を係止位置に向けて常時付勢する付勢部としても機能するようになっている。
【００４１】
ここで、図５に示す閉位置にある圧板７の下面７ａのうち、解除位置にある一方の係止部材１７の上部１７ｂにおける上端に対面する箇所は、この上部１７ｂの上端を押圧して、一方の係止部材１７を解除位置に保持する押圧面７ｂとされている。また、プリンタ部３の上面３ａのうち、解除位置にある他方の係止部材１９の下部１９ｃの下端に対面する箇所は、この下部１９ｃの下端を押圧して、他方の係止部材１９を解除位置に保持する押圧面３ｂとされている。このように、本実施の形態では、上述の各押圧面３ｂ、７ｂによって、各係止部材１７、１９を解除位置に保持する保持部を構成している。
【００４２】
また、図５に示す閉位置にある圧板７の下面７ａのうち、解除位置にある他方の係止部材１９の上爪１９ｅに対応する箇所には、この上爪１９ｅを収納する空間を有する上収納部２１が形成されており、この上収納部２１の内側には、上爪１９ｅが係止するフック状の上係止部２１ａが形成されている。更に、プリンタ部３の上面３ａのうち、解除位置にある一方の係止部材１７の下爪１７ｅに対応する箇所には、この下爪１７ｅを収納する空間を有する下収納部２３が形成されており、この下収納部２３の内側には、下爪１７ｅが係止するフック状の下係止部２３ａが形成されている。尚、各係止部２１ａ、２３ａの形状は、フック状に限定されず、例えば、棒状等であっても良く、要は、各爪部１７ｅ、１９ｅが係止可能な形状であれば良い。
【００４３】
このように、本実施の形態では、ロック機構１３は、各係止部材１７、１９と、これらの各係止部材１７、１９に形成された付勢部である下部１７ｃ、１９ｃと、圧板７及びプリンタ部３に形成された保持部である押圧面７ｂ、３ｂと、圧板７及びプリンタ部３に形成され、各係止部材１７、１９の各爪１７ｅ、１９ｅが係止する各係止部２１ａ、２３ａとから構成されている。
【００４４】
次に、上述した構成に基づき、本実施の形態の作用を説明する。図５に示すように、圧板７及びスキャナ５が共に閉位置にあるときには、一方の係止部材１７は、その上突出部１７ｄの上端が圧板５の押圧面７ｂに押圧されて解除位置に保持されていると共に、他方の係止部材１９は、その下突出部１９ｄの下端がプリンタ部３の押圧面３ｂに押圧されて解除位置に保持されている。
【００４５】
この状態から、図６（ａ）に示すように、スキャナ５をプリンタ部３の後方にスライドさせてから、圧板７を開位置に向けて回動させて圧板７を開くと、図６（ｂ）に示すように、一方の係止部材１７に対する押圧面７ｂの押圧が解除されることにより、下部１７ｃ側に偏心している一方の係合部材１７が、回動軸１５を中心に矢印Ｃ方向に回動し、係止部材１７の下爪１７ｅがプリンタ部３の下係止部２３ａに係止する。これにより、プリンタ部３とスキャナ５とがロックされて、プリンタ部３に対してスキャナ５が開くのを防止する。
【００４６】
そして、開位置にある圧板７を閉位置に向けて回動させて閉じると、圧板７の押圧面７ｂが上突出部１７ｄの上端を押圧することにより、図６（ｂ）に示す係止位置にある一方の係止部材１７が、下部１７ｃによる付勢力に抗して、解除位置に向けて回動する。これにより、下爪１７ｅが下係止部２３ａから外れて、プリンタ部３とスキャナ５とのロック状態が解除される。
【００４７】
一方、圧板７及びスキャナ５が共に閉位置にある状態から、図７（ａ）に示すように、スキャナ５をプリンタ部３の後方にスライドさせてから、スキャナ５を開位置に向けて回動させてスキャナ５を開くと、図７（ｂ）に示すように、下突出部１９ｄの下端に対する押圧面３ｂの押圧が解除されることにより、下部１９ｃ側に偏心している他方の係合部材１９が、回動軸１６を中心に矢印Ｄ方向に回動し、他方の係止部材１９の上爪１９ｅが圧板７の上係止部２１ａに係止する。これにより、圧板７とスキャナ５とがロックされて、スキャナ５に対して圧板７が開くのを防止する。
【００４８】
そして、開位置にあるスキャナ５を閉位置に向けて回動させて閉じると、プリンタ部３の押圧面３ｂが下突起部１９ｄの下端を押圧することにより、図６（ｂ）に示す係止位置にある一方の係止部材１９が、下部１９ｃによる付勢力に抗して、解除位置に向けて回動する。これにより、上爪１９ｅが上係止部２１ａから外れて、圧板７とスキャナ５とのロック状態が解除される。
【００４９】
尚、スキャナ５をプリンタ部３の後方にスライドさせず、スキャナ５が図２に示す初期位置にある状態で、圧板７やスキャナ５を開いた場合であっても、プリンタ部３とスキャナ５とのロック及び圧板７とスキャナ５とのロックが行われるのは、言うまでもない。また、圧板７及びスキャナ５は、実際には、図６（ａ）及び図７（ａ）に示すように、それぞれの回動支点７Ａ、５Ａを中心に回動するが、図６（ｂ）及び図７（ｂ）においては、説明を容易にするため、圧板７がスキャナ５の上方に水平に離れた状態及びスキャナ５がプリンタ部３の上方に水平に離れた状態を図示している（後述する他の実施の形態に係る図９乃至１２も同様に図示する）と共に、説明上、主要でない部分は省略して図示することとする。
【００５０】
以上説明したように、本実施の形態では、圧板７が開位置に回動したとき、これに連動してスキャナ５とプリンタ部３とをロックすると共に、スキャナ５が開位置に回動したとき、これに連動して圧板７とスキャナ５とをロックするロック機構１３を設けているので、圧板７やスキャナ５を開けるだけで、圧板７とプリンタ部３とのロック動作またはプリンタ部３とスキャナ５とのロックが自動的に行われるため、開動作の前にロック操作を行う手間を省くことができる。
【００５１】
また、圧板７を開けた場合には、プリンタ部３とスキャナ５とがロックされるので、プリンタ部３に対するスキャナ５の衝突を防止することができ、スキャナ５を開いた場合には、圧板７とスキャナ５とがロックされるので、圧板７とスキャナ５との衝突を防止することができるので、衝突によるプリンタ部３、スキャナ５及び圧板７の損傷を防止することができる。
【００５２】
更に、圧板７のみを開けた場合においても、プリンタ部３とスキャナ５とがロックされるので、圧板７と共にスキャナ５がプリンタ部３から開くといった図８に示すような状態を防止することができる。これにより、開き方向における荷重が増大するのを防止することができるため、複写機１の転倒を防止することができる。この結果、複写機１の損傷や、転倒した複写機１に衝突した壁等の損傷を防止することができる。
【００５３】
次に、他の実施の形態を順次説明するが、その説明にあたり、上述と同様な構成要素には、同一の符号を付することによって、その説明を省略する。
【００５４】
図９は、第２実施の形態に係るロック機構を概略的に示す断面図である。図９（ａ）に示すように、スキャナ５の内部には、圧板７の開位置への回動に連動してスキャナ５とプリンタ部３とをロックし、スキャナ５の開位置への回動に連動して圧板７とスキャナ５とをロックするロック機構２５が配置されている。このロック機構２５は、スキャナ５内に設けられ、左右方向に延びた回動軸２６に回動自在に軸支された単一の係止部材２７を備えている。本実施の形態では、係止部材２７は、プリンタ部３または圧板７に係止する係止位置（図９（ｂ）及び（ｃ）に示す位置）と、この係止位置から離れて係止状態を解除する解除位置（図９（ａ）に示す位置）とに回動自在となっている。
【００５５】
この係止部材２７は、係止部材２７が解除位置にあるときにおいて、回動軸２６から上方に向けて延びると共に上端部に上爪２７ｃが形成されている上部２７ａと、回動軸２６から下方に抜けて延びると共に下端部に下爪２７ｄが形成されている下部２７ｂとを有しており、これらの上部２７ａと下部２７ｂとは略同じ長さに設定されている。本実施の形態では、下部２７ｂの回動軸２６の寄りの部分には、係止部材２７を矢印Ｄで示す係止位置に向けて常時付勢するバランスウェイト（付勢部）２８が一体に形成されている。
【００５６】
また、上部２７ａの爪部２７ｃは、スキャナ５の上面５ａに形成された開口５ｊから上方に突出していると共に、その上面には斜面２７ｅが形成されている。同様に下部２７ｂの爪部２７ｄは、スキャナ５の下面５ｅに形成された開口５Ｐから下方に突出していると共に、その下面には斜面２７ｆが形成されている。
【００５７】
一方、図９（ａ）に示す閉位置にある圧板７の下面７ａのうち、解除位置にある係止部材２７の上爪２７ｃに対応する箇所には、この上爪２７ｃを収納する凹状の空間を有する上収納部２９が形成されている。この上収納部２９には、解除位置にある係止部材２７の上爪２７ｃが当接されて係止部材２７を係止位置に保持するストッパ（上当接部）２９ａを有すると共に内径が上爪２７ｃよりも大きい小径収納部２９ｂと、この小径収納部２９ｂの下方に設けられ、小径収納部２９ｂよりも内径が大きいと共に、係止位置にある係止部材２７の上爪２７ｃが係止するフック状の上係止部２９ｃが設けられた大径収納部２９ｄとが形成されている。
【００５８】
更に、プリンタ部３の上面３ａのうち、解除位置にある係止部材２７の下爪２７ｄに対応する箇所には、この下爪２７ｄを収納する空間を有する凹状の下収納部３１が形成されている。この下収納部３１には、解除位置にある係止部材２７の下爪２７ｄが当接されて係止部材２７を係止位置に保持するストッパ（下当接部）３１ａを有すると共に内径が下爪２７ｄよりも大きい小径収納部３１ｂと、この小径収納部３１ｂの上方に設けられ、小径収納部３１ｂよりも内径が大きいと共に、係止位置にある係止部材２７の下爪２７ｄが係止するフック状の下係止部３１ｃが設けられた大径収納部３１ｄとが形成されている。
【００５９】
このように、本実施の形態では、ロック機構２５は、係止部材２７と、係止部材２７に形成された付勢部であるバランスウェイト２８と、圧板７及びプリンタ部３に形成された保持部である各収納部２９、３１と、圧板７及びプリンタ部３に形成され、係止部材２７の両端の各爪２７ｃ、２７ｄが係止する各係止部２９ｃ、３１ｃとから構成されている。
【００６０】
次に、上述した構成に基づき、本実施の形態の作用を説明する。図９（ａ）に示すように、圧板７及びスキャナ５が共に閉位置にあるときには、係止部材２７の各爪２７ｃ、２７ｄが各ストッパ２９ａ、３１ａに当接されて解除位置に保持されている。
【００６１】
この状態から、図９（ｂ）に示すように、圧板７を開位置に向けて回動させて圧板７を開くと、係止部材２７の上爪２７ｃとストッパ２９ａとの当接状態が解除されることにより、係合部材２７が、バランスウェイト２８の作用によって回動軸２６を中心に矢印Ｅ方向に回動し、係止部材２７の下爪２７ｄがプリンタ部３の下係止部３１ｃに係止する。これにより、プリンタ部３とスキャナ５とがロックされて、プリンタ部３に対してスキャナ５が開くのを防止する。
【００６２】
そして、図９（ｂ）に示す開位置にある圧板７を閉位置に向けて回動させて閉じると、圧板７のストッパ２９ａが上爪２７ｃの斜面２７ｅを押圧することにより、係止位置にある係止部材２７が、バランスウェイト２８による付勢力に抗して、解除位置に向けて回動する。これにより、下爪２７ｄが下係止部３１ｃから外れて、プリンタ部３とスキャナ５とのロック状態が解除される。
【００６３】
一方、圧板７及びスキャナ５が共に閉位置にある状態から、図９（ｃ）に示すように、スキャナ５を開位置に向けて回動させてスキャナ５を開くと、下爪２７ｄがストッパ３１ａから離れることにより、係合部材１９が、回動軸２６を中心に矢印Ｅ方向に回動し、係止部材２７の上爪２７ｃが圧板７の上係止部２９ｃに係止する。これにより、圧板７とスキャナ５とがロックされて、スキャナ５に対して圧板７が開くのを防止する。
【００６４】
そして、図９（ｃ）に示す開位置にあるスキャナ５を閉位置に向けて回動させて閉じると、プリンタ部３のストッパ３１ａが下爪２７ｄの斜面２７ｆを押圧することにより、係止位置にある係止部材２７が、バランスウェイト２８による付勢力に抗して、解除位置に向けて回動する。これにより、上爪２７ｃが上係止部２９ａから外れて、圧板７とスキャナ５とのロック状態が解除される。
【００６５】
この第２実施の形態では、上述した第１実施の形態と同様な効果を奏すると共に、単一の係止部材２７を用いているので、一対の係止部材を用いる場合に比べて、製造コストの低減及び省スペース化を図ることができる。
【００６６】
図１０は、第３実施の形態に係るロック機構を概略的に示す断面図である。図１０（ａ）に示すように、スキャナ５は、その内部に、圧板７の開位置への回動に連動してスキャナ５とプリンタ部３とをロックし、スキャナ５の開位置への回動に連動して圧板７とスキャナ５とをロックするロック機構３３が配置されている。このロック機構３３は、スキャナ５内において、左右方向に延びていると共にスキャナ５のスライド方向に沿って互いに間隔をあけて設けられた一対の回動軸３５、３６にそれぞれ、回動自在に軸支された一対の係止部材３７、３９を備えている。
【００６７】
本実施の形態では、これらの係止部材３７、３９のうち、後方側に位置する一方の係止部材３７は、プリンタ部３の下収納部２３の下係止部２３ａに係止して、プリンタ部３とスキャナ５とをロックする係止位置（図１０（ｂ）に示す位置）と、この係止位置から離れて係止状態を解除する解除位置（図１０（ａ）に示す位置）とに回動自在となっている。また、スキャナ５の前方側に位置する他方の係止部材３９は、圧板７の上収納部２１の上係止部２１ａに係止して、圧板７とスキャナ５とをロックする係止位置（図１０（ｃ）に示す位置）と、この係止位置から離れて係止状態を解除する解除位置（図１０（ａ）に示す位置）とに回動自在となっている。
【００６８】
一方の係止部材３７は、回動軸３５から上方に延びる上部３７ａと、回動軸３５から下方に延びる下部３７ｂと、回動軸３５から前方に延びるバランスウェイト３７ｃとを有しており、このバランスウェイト３７ｃにより一方の係止部材３７は、係止位置に向けて（図１０（ｂ）の矢印Ｆ参照）常時付勢されている。
【００６９】
解除位置にある一方の係止部材３７の上部３７ａの上端は、スキャナ５の上面５ａ手前近傍まで延びていると共に、マグネット（磁石）４０ａが設けられている。また、圧板７の下面７ａのうち、解除位置にある一方の係止部材３７のマグネット４０ａと対向する箇所には、マグネット４０ａと互いに引き合う磁極（例えば、マグネット４０ａがＳ極であれば、Ｎ極）のマグネット４１ａが設けられており、これらのマグネット４０ａ、４１ａの磁力によって、一方の係止部材３７が係止位置に保持されるようになっている。一方、解除位置にある一方の係止部材３７における下部３７ｂの下端部には、スキャナ５の開口５ｇから下方に突出し、下係止部２３ａに係止する下爪３７ｄが形成されている。
【００７０】
他方の係止部材３９は、回動軸３６から上方に延びる上部３９ａと、回動軸３６から下方に延びる下部３９ｂと、回動軸３６から前方に延びるバランスウェイト３９ｃとを有しており、このバランスウェイト３９ｃにより他方の係止部材３９は、係止位置に向けて（図１０（ｃ）の矢印Ｇ参照）常時付勢されている。
【００７１】
解除位置にある他方の係止部材３９の上部３９ａの上端部には、スキャナ５の開口５ｉから上方に突出し、上係止部２１ａに係止する上爪３９ｄが形成されている。一方、解除位置にある他方の係止部材３９の下部３９ｂの下端は、スキャナ５の下面５ｅ手前近傍まで延びていると共に、マグネット４０ｂが設けられている。また、プリンタ部３の上面３ａのうち、解除位置にある他方の係止部材３９のマグネット４０ｂと対向する箇所には、マグネット４０ｂと互いに引き合う磁極のマグネット４１ｂが設けられており、これらのマグネット４０ｂ、４１ｂの磁力によって、他方の係止部材３９が係止位置に保持されるようになっている。
【００７２】
本実施の形態では、各マグネット４０ａ、４０ｂ、４１ａ、４１ｂの着磁力は、バランスウェイト３７ｃ、３９ｃによる付勢力よりも大きく設定されており、これによって、各係止部材３７、３９は解除位置に保持されるようになっている。したがって、図１０（ｂ）に示すように、圧板７を開けると、各マグネット４０ａ、４１ａによる磁力が及ばなくなるため、一方の係止部材３７はバランスウェイト３７ｃの作用により、係止位置に向けて回動し、同様に、図１０（ｃ）に示すように、スキャナ５を開けると、各マグネット４０ｂ、４１ｂによる磁力が及ばなくなって、他方の係止部材３９が係止位置に向けて回動する。そして、圧板７を閉じると、各マグネット４０ａ、４１ａの磁力によって一方の係止部材３７が解除位置に向けて回動して解除位置に保持され、スキャナ５を閉じると、各マグネット４０ｂ、４１ｂの磁力によって他方の係止部材３９が解除位置に向けて回動して解除位置に保持される。
【００７３】
本実施の形態では、第１実施の形態と同様な作用効果を奏すると共に、マグネットの磁力によって各係止部材３７、３９を係止位置に保持することができるので、係止位置にある一方の係止部材３７における上部３７ａの上端、及び他方の係止部材３９における下部３９ｂの下端を、スキャナ５内に収納することができる。この結果、係止位置にある各係止部材３７、３９の上部３７ａの上端や下部３９ｂの下端がスキャナ５から露出しないため、係止位置にある各係止部材３７、３９を操作して係止状態を解除して不意にスキャナ５や圧板７が開いてしまうのを防止することができる。
【００７４】
尚、本実施の形態では、各係止部材３７、３９にマグネット４０ａ、４０ｂを設けたが、これに代えて、各係止部材３７、３９を鉄等の磁性体で構成して、この鉄等の係止部材３７、３９に作用するマグネット４１ａ、４１ｂにより各係止部材３７、３９を解除位置に保持するようにすることもできる。また、各係止部材３７、３９をマグネットで構成し、各マグネット４１ａ、４１ｂに代えて鉄板等の磁性体を設けて、各係止部材３７、３９を保持するようにしてもよく、これらのいずれの場合であっても、本実施の形態と同様な作用効果を奏する。
【００７５】
図１１及び図１２は、第４実施の形態に係るロック機構を概略的に示す断面図である。これらの図１１及び図１２に示すように、スキャナ５は、その内部に、圧板７の開位置への回動に連動してスキャナ５とプリンタ部３とをロックし、スキャナ５の開位置への回動に連動して圧板７とスキャナ５とをロックするロック機構４３が配置されている。このロック機構４３は、スキャナ５内において、左右方向に延びていると共にスキャナ５のスライド方向に沿って互いに間隔をあけて設けられた一対の回動軸４５、４６にそれぞれ、回動自在に軸支されていると共に左右方向に並ぶように配置された一対の係止部材４７、４９を備えている。
【００７６】
本実施の形態では、これらの係止部材４７、４９のうち、左側に位置する一方の係止部材４７は、プリンタ部３の下収納部２３の下係止部２３ａに係止して、プリンタ部３とスキャナ５とをロックする係止位置（図１１（ｂ）に示す位置）と、この係止位置から離れて係止状態を解除する解除位置（図１１（ａ）に示す位置）とに回動自在となっている。また、スキャナ５の右側に位置する他方の係止部材４９は、圧板７の上収納部２１の上係止部２１ａに係止して、圧板７とスキャナ５とをロックする係止位置（図１２（ｂ）に示す位置）と、この係止位置から離れて係止状態を解除する解除位置（図１２（ａ）に示す位置）とに回動自在となっている。
【００７７】
一方の係止部材４７は、回動軸４５から前後に延びた基端部４７ａと、この基端部４７ａの後側部４７ｇから上方に延びた上部４７ｂと、基端部４７ａの前側部４７ｃにおける回動軸４５寄りの箇所から下方に延びた下部４７ｄとを有している。
【００７８】
解除位置にある一方の係止部材４７における上部４７ｂの上端部には、スキャナ５の開口５ｆから上方に突出して、圧板７の下面７ａに形成された押圧面７ｂによって押圧されている上突出部４７ｅが形成されている。また、解除位置にある一方の係止部材４７における下部４７ｃの下端部には、プリンタ部３ａの下係止部２３ａに係止する下爪４７ｆが形成されている。
【００７９】
一方の係止部材４７の前側部４７ｃの長さは、後側部４７ｇよりも長く形成されて、後側部４７ｇよりも重いバランスウェイトとされており、これにより、一方の係止部材４７は前側部４７ｃ側に偏心しており、この前側部１７ｃにより一方の係止部材４７は、係止位置に向けて（図１１（ｂ）の矢印Ｈ参照）常時付勢されている。
【００８０】
他方の係止部材４９は、回動軸４６から前後に延びた基端部４９ａと、この基端部４９ａの後側部４９ｇにおける回動軸４６寄りの箇所から上方に延びた上部４９ｂと、後側部４９ｇの後端部から下方に延びた下部４９ｄとを有している。
【００８１】
解除位置にある他方の係止部材４９における上部４９ｂの上端部には、圧板７の上係止部２１ａに係止する上爪４９ｆが形成されている。また、係止位置にある他方の係止部材４９における下部４９ｄの下端部は、スキャナ５の開口５ｈから下方に突出して、プリンタ部３の上面３ａに形成された押圧面３ｂによって押圧されている下突出部４９ｅが形成されている。
【００８２】
また、他方の係止部材４９の後側部４９ｇ及び４９ｄの重量は、前端部４９ｃよりも重く形成されたバランスウェイトとされており、これにより、他方の係止部材４９は後側部４９ｇ側に偏心しており、この後側部４９ｇにより他方の係止部材４９は、係止位置に向けて（図１２（ｂ）の矢印Ｉ参照）常時付勢されている。
【００８３】
ここで、本実施の形態では、一方の係止部材４７の前側部４７ｃの前端部には、この前端部から下方に膨出した板状のシャッタ部４７ｈが形成されており、他方の係止部材４９の前側部４９ｃの前端部には、この前端部から上方に膨出した板状のシャッタ部４９ｈが形成されている。これらのシャッタ部４７ｈ、４９ｈは、各押圧面３ｂ、７ｂによる係止位置への保持状態から解除されて、各係止部材４７、４９が係止位置に回動したときに、図１１（ｂ）及び図１２（ｂ）に示すように、取っ手１２ａ及び圧板７の前端の中央部に形成された凹状の取っ手１２ｃ内に突出して、取っ手１２ａ、１２ｃを塞ぐようになっている。
【００８４】
本実施の形態では、第１実施の形態と同様な作用効果を奏すると共に、スキャナ５が開いているときは、シャッタ部４９ｈが取っ手１２ａを塞ぎ、圧板７が開いているときにはシャッタ部４７ｈが取っ手１２ｂを塞ぐので、スキャナ５が開いた状態で取っ手１２ａに手を差し入れて圧板７を強引に開けたり、圧板７が開いた状態で取っ手１２ｃに手を差し入れてスキャナ５を強引に開けたりするのを防止することができる。この結果、強引な開動作に起因するロック機構４３の破損を防止することができる。
【００８５】
本発明は、上述した実施の形態に限定されず、その要旨を逸脱しない範囲内において、種々の変形が可能である。
【００８６】
例えば、上記第１、第３及び第４実施の形態では、一対の回転軸によってそれぞれの係止部材を回動させるようにしていたが、これに代えて、図１３に示すように、単一の回動軸５１によって各係止部材５３、５５を回動自在に軸支するようにしても良い。この場合、上記第１、第３、及び第４実施の形態と同様な作用効果を奏すると共に、回動軸５１の部品点数が減少して、製造コストの低減及びスキャナ５内に省スペース化を図ることができる。
【００８７】
尚、図１３においては、各係止部材５３、５５は、左右に配置されており、各係止部材５３、５５の構成は以下のとおりである。すなわち、左側の一方の係止部材５３は、回動軸５１の前後に延びる基端部５３ａと、基端部５３ａの後端部から上方に延びると共に、その上端に圧板７の押圧面７ｂに押圧される上突出部５３ｃが形成された上部５３ｂと、基端部５３ａの前端部から下方に延びると共に、その下端に下係止部２３ａに係止する下爪５３ｅが形成された下部５３ｄとを有しており、基端部５３ａの前側部分が、基端部５３ａの後側部分よりも重量の大きいバランスウェイトとされて、係止部材５３が矢印Ｊ方向に回動するようになっている。
【００８８】
また、右側の他方の係止部材５５は、回動軸５１の前後に延びる基端部５５ａと、基端部の前端部から上方に延びると共に、その上端に上係止部２１ａに係止する上爪５５ｃが形成された上部５５ｂと、基端部５５ａの後端部から下方に延びると共に、その下端にプリンタ部３の押圧面３ｂに押圧される下突出部５５ｅが形成された下部５５ｄとを有しており、基端部５５ａの後側部分が、基端部５５ａの前側部分よりも重量の大きいバランスウェイトとされて、係止部材５５が矢印Ｑ方向に回動するようになっている。
【００８９】
また、上記各実施の形態では、付勢部としてバランスウェイトを用い、このバランスウェイトによって係止部材を係止位置に向けて常時付勢していたが、これに代えて、図１４及び図１５に示すように、スプリング（付勢部）５７、５９によって、係止部材を係止位置に向けて常時付勢するようにしても良い。この場合、上記各実施の形態と同様な作用効果を奏すると共に、バランスウェイトを用いている係止部材においては、係止部材の自重及びスプリングの付勢力が合わさって、係止部材を係止位置に向けて常時付勢するため、係止部材を確実に係止位置に向けて回動させることができる。一方、スプリングを設けていることにより、バランスウェイトがなくても、係止部材を係止位置に向けて常時付勢することができるため、バランスウェイトを省略することができ、この場合にあっては、係止部材の小型化や設計の自由度の向上を図ることができる。
【００９０】
尚、図１４は、第１実施の形態の係止部材１７において、基端部１７ａ前端から更に前方に延びる取り付け部１７ｆを形成し、この取り付け部１７ｆとスキャナ５の内面に形成した取り付け部５ｋとの間に、スプリング５７を取り付けた変形例を示している。また、図１５には、第２実施の形態の係止部材２７において、回動軸２６から前方に延びた取り付け部２８ａにスプリング５９を取り付けた変形例を示している。
【００９１】
更に、付勢部としてのバランスウェイトに代えて、磁石を用いて係止部材を係止位置に常時付勢するようにしても良い（図１６及び図１７参照）。すなわち、係止部材に磁石を設けると共に、プリンタ部３内において係止部材の回動方向側に配置され、係止部材の磁石と引き合う磁極の磁石、及び、プリンタ部３内において係止部材の回動方向とは反対側に配置され、係止部材の磁石と反発する磁極の磁石の少なくとも一方を、プリンタ部３内に配置するようにしても良い。この場合であっても、上記各実施の形態と同様な作用効果を奏する。
【００９２】
尚、図１６は、第１実施の形態における係止部材１７の下爪１７ｅの前端及び後端にそれぞれマグネット６１、６３を設け、プリンタ部３内におけるマグネット６１に対向する位置にマグネット６１と引き合う磁極のマグネット６５をステー６６に取り付けると共に（この場合、ステー６６及びマグネット６５が下係止部を形成する）、スキャナ５内におけるマグネット６３に対向する位置にマグネット６３と反発する磁極のマグネット６７を配置した変形例を示している。
【００９３】
この図１６では、マグネット６１と６５との引き合う力、及び、マグネット６３、６７の反発する力によって係止部材１７を常時係止位置に向けて付勢しているが、マグネット６１、６５のみ、或いは、マグネット６３、６７のみを設けても、同様な作用効果を得ることは言うまでもない。尚、係止部材１９の上爪１９ｅも同様の構成とすることができ、この場合は、圧板７内にマグネットを設けるようにすれば良い。
【００９４】
また、図１７は、第２実施の形態における係止部材２７の上爪２７ｃの前端及び後端にそれぞれ、マグネット６９、７１設け、下爪２７ｄの前端及び後端にもそれぞれマグネット７３、７５を設け、マグネット６９、７５に対向する位置にそれぞれマグネット６９、７５に反発する磁極のマグネット７７、８３を配置し、マグネット７１、７３に対向する位置にそれぞれマグネット７１、７３に引き合う磁極のマグネット７９、８１を配置した変形例を示している。
【００９５】
また、上記各実施の形態では、蓋部として圧板７を用いていたが、これに代えて、図１８に示すように、スキャナ５に原稿を搬送する自動原稿送り装置（ＡＤＦ）８３を蓋部として用いるようにしても良く、このような複写機１ａであっても、上記各実施の形態と同様な作用効果を奏する。また、図１８の複写機１ａよりも排紙トレイ６の高さ寸法Ｙを大きくすると共に、スキャナ５を寸法Ｘだけ後方にずらして、シートの取り出し性や視認性を向上させた複写機１ｂを用いても良く、この場合であっても、上記各実施の形態と同様な作用効果を奏する。
【図面の簡単な説明】
【００９６】
【図１】本発明の第１実施の形態に係る複写機を概略的に示す斜視図である。
【図２】図１の複写機の側面図である。
【図３】図１の複写機の原稿読取部が開いた状態を示す側面図である。
【図４】図１の複写機における原稿読取部と画像形成部との間に設けられたスライド部を説明するための図であり、（ａ）はスライド機構によって原稿読取部がスライドした状態を示す側面図、（ｂ）はスライド機構の構成を示す分解斜視図である。
【図５】図１の複写機のロック機構の構成を概略的に示すＲ−Ｒ断面図である。
【図６】図５のロック機構における一方の係止部材の動作を説明するため図であり、（ａ）は圧板が開いた状態を概略的に示す側面図、（ｂ）は係止位置にある一方の係止部材の状態を概略的に示す断面図である。
【図７】図５のロック機構における他方の係止部材の動作を説明するため図であり、（ａ）はスキャナが開いた状態を概略的に示す側面図、（ｂ）は係止位置にある他方の係止部材の状態を概略的に示す断面図である。
【図８】第１実施の形態に係るロック機構の効果を説明するための比較図である。
【図９】本発明の第２実施の形態に係るロック機構を示す図であり、（ａ）は解除位置にある係止部材の状態を概略的に示す断面図、（ｂ）は圧板が開いて係止位置にある係止部材の状態を概略的に示す断面図、（ｃ）はスキャナが開いて係止位置にある係止部材の状態を概略的に示す断面図である。
【図１０】本発明の第３実施の形態に係るロック機構を示す図であり、（ａ）は解除位置にある各係止部材の状態を概略的に示す断面図、（ｂ）は圧板が開いて係止位置にある一方の係止部材の状態を概略的に示す断面図、（ｃ）はスキャナが開いて係止位置にある他方の係止部材の状態を概略的に示す断面図である。
【図１１】本発明の第４実施の形態に係るロック機構を示す図であり、（ａ）は解除位置にある一方の係止部材の状態を概略的に示す断面図、（ｂ）は圧板が開いて係止位置にある一方の係止部材の状態を概略的に示す断面図である。
【図１２】本発明の第４実施の形態に係るロック機構を示す図であり、（ａ）は解除位置にある他方の係止部材の状態を概略的に示す断面図、（ｂ）はスキャナが開いて係止位置にある他方の係止部材の状態を概略的に示す断面図である。
【図１３】変形例に係る係止部材を概略的に示す斜視図である。
【図１４】変形例に係る係止部材を概略的に示す断面図である。
【図１５】変形例に係る係止部材を概略的に示す側面図である。
【図１６】変形例に係る係止部材を概略的に示す断面図である。
【図１７】変形例に係る係止部材を概略的に示す側面図である。
【図１８】変形例に係る複写機を概略的に示す斜視図である。
【図１９】変形例に係る複写機を概略的に示す斜視図である。
【図２０】従来に係る複写機を概略的に示す側面図である。
【符号の説明】
【００９７】
１、１ａ、１ｂ          複写機（画像形成装置）
３                      プリンタ部（画像形成部）
３ｂ                    他方の押圧面
５                      スキャナ（原稿読取部）
５Ａ                    回動支点（支点）
５ｂ                    原稿載置部
７                      圧板（蓋部）
７Ａ                    回動支点（支点）
７ｂ                    一方の押圧面
９                      スライド機構
１２ａ、１２ｂ、１２ｃ  取っ手
１３                    ロック機構
１５、１６              回動軸
１７                    一方の係止部材
１７ｂ                  上部
１７ｃ                  下部（付勢部）
１７ｄ                  上突出部
１７ｅ                  下爪
１９                    他方の係止部材
１９ｂ                  上部
１９ｃ                  下部（付勢部）
１９ｄ                  下突出部
１９ｅ                  上爪
２１                    上収納部
２１ａ                  上係止部
２３                    下収納部
２３ａ                  下係止部
２５                    ロック機構
２６                    回動軸
２７                    係止部材
２７ａ                  上部
２７ｂ                  下部
２７ｃ                  上爪
２７ｄ                  下爪
２８、２８ａ            バランスウェイト
２９                    上収納部
２９ａ                  ストッパ（上当接部）
２９ｃ                  上係止部
３１                    下収納部
３１ａ                  ストッパ（下当接部）
３１ｃ                  下係止部
３３                    ロック機構
３５、３６              回動軸
３７                    一方の係止部材
３７ａ                  上部
３７ｂ                  下部
３７ｃ                  バランスウェイト
３７ｄ                  下爪
３９                    他方の係止部材
３９ａ                  上部
３９ｂ                  下部
３９ｃ                  バランスウェイト
３９ｄ                  上爪
４０ａ、４０ｂ、４１ａ、４１ｂ  マグネット（磁石）
４３                    ロック機構
４５、４６              回動軸
４７                    一方の係止部材
４７ｂ                  上部
４７ｄ                  下部
４７ｅ                  下突出部
４７ｆ                  下爪
４７ｈ                  シャッタ部
４９                    他方の係止部材
４９ｂ                  上部
４９ｄ                  下部
４９ｅ                  下突出部
４７ｆ                  上爪
４９ｈ                  シャッタ部
５１                    回動軸
５３                    一方の係止部材
５３ｂ                  上部
５３ｃ                  上突出部
５３ｄ                  下部
５３ｅ                  下爪
５５                    他方の係止部材
５５ｂ                  上部
５５ｃ                  上爪
５５ｄ                  下部
５３ｅ                  下突出部
８３                    自動原稿送り装置（蓋部）
【図１】
2009092828.tif 000003
【図２】
2009092828.tif 000004
【図３】
2009092828.tif 000005
【図４】
2009092828.tif 000006
【図５】
2009092828.tif 000007
【図６】
2009092828.tif 000008
【図７】
2009092828.tif 000009
【図８】
2009092828.tif 000010
【図９】
2009092828.tif 000011
【図１０】
2009092828.tif 000012
【図１１】
2009092828.tif 000013
【図１２】
2009092828.tif 000014
【図１３】
2009092828.tif 000015
【図１４】
2009092828.tif 000016
【図１５】
2009092828.tif 000017
【図１６】
2009092828.tif 000018
【図１７】
2009092828.tif 000019
【図１８】
2009092828.tif 000020
【図１９】
2009092828.tif 000021
【図２０】
2009092828.tif 000022